(57)【特許請求の範囲】
【請求項１】
複数のＬＥＤが実装されたＬＥＤ基板と、前記ＬＥＤ基板が取り付けられる取付部材と、拡散性を有し且つ前記ＬＥＤ基板を覆うようにして前記取付部材に取り付けられるカバー部材とを備えた光源ユニットであって、
前記カバー部材は、前記取付部材に取り付けられる一対の突壁部と、前記一対の突壁部の各々に対して前記一対の突壁部が並ぶ方向における前記突壁部よりも外側に延出する一対の延出部とを有し、
前記カバー部材は、長尺状に形成された器具本体の一面に設けられた収容凹部に前記光源ユニットを収容した状態では、前記器具本体の長手方向及び幅方向と直交する方向において前記一対の延出部の各々が前記収容凹部の開口端縁と隙間が生じないように重なっていることを特徴とする光源ユニット。
【請求項２】
前記カバー部材は長尺状に形成されており、前記一対の延出部の各々は、前記カバー部材の長手方向と直交する幅方向における両端部から互いに離れる向きに延出し、前記一対の突壁部の各々は、前記カバー部材の幅方向における前記一対の延出部の各々よりも内側において前記取付部材側に突出することを特徴とする請求項１記載の光源ユニット。
【請求項３】
前記カバー部材は、前記器具本体の幅方向における両端側から中央側に行くほど前記器具本体の長手方向及び幅方向と直交する方向への突出量が大きくなるような拡散面を有していることを特徴とする請求項１又は２記載の光源ユニット。
【請求項４】
前記複数のＬＥＤに点灯電力を供給する電源装置を備えていることを特徴とする請求項１〜３の何れか１項に記載の光源ユニット。
【請求項５】
長尺状に形成された器具本体と、前記器具本体に取り付けられる光源ユニットと、前記光源ユニットに対して点灯電力を供給する電源装置とを備え、
前記器具本体の一面には、前記器具本体の長手方向に沿って矩形の収容凹部が設けられており、
前記電源装置は、前記光源ユニットを前記器具本体に取り付けた状態において前記収容凹部内に配置され、
前記光源ユニットは、複数のＬＥＤが実装されたＬＥＤ基板と、前記複数のＬＥＤが前記収容凹部の外側を向くようにして前記ＬＥＤ基板を前記器具本体に取り付けるための取付部材と、拡散性を有し且つ前記複数のＬＥＤを覆うようにして前記取付部材に取り付けられるカバー部材とを有し、
前記カバー部材は、前記光源ユニットを前記器具本体に取り付けた状態で、前記器具本体の長手方向及び幅方向と直交する方向において前記収容凹部の開口端縁と隙間が生じないように重なる延出部が設けられていることを特徴とする照明器具。
【請求項６】
前記カバー部材は、前記器具本体の幅方向における両端側から中央側に行くほど前記器具本体の長手方向及び幅方向と直交する方向への突出量が大きくなるように形成されていることを特徴とする請求項５記載の照明器具。
【請求項７】
前記器具本体は、前記光源ユニットを前記器具本体に取り付けた状態で、前記カバー部材の傾斜面に連続する傾斜面が設けられていることを特徴とする請求項６記載の照明器具。
【発明の詳細な説明】
【技術分野】
【０００１】
本発明は、光源ユニット及び照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、係止部材を用いて器具本体に取り付けられる光源部とを備え、器具本体の略中央には光源部を収容するための収容凹部が全長に亘って設けられている。
【０００３】
また、光源部は、横長且つ長尺状に形成された取付部材と、複数の発光素子がそれぞれ実装され取付部材の下面に並べて取り付けられる複数の基板と、複数の基板を覆うようにして取付部材に取り付けられるカバー部材とを有する。そして、一体に組み付けられた光源部は、その一部が器具本体の収容凹部に収容された状態で、係止部材を用いて器具本体に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具では、光源部を器具本体に取り付けた状態でカバー部材と収容凹部との間に隙間が生じ、光源部を点灯させた際には隙間部分がスジ状に暗くなるため、照明器具を見上げたときの見栄えが良くなかった。
【０００６】
本発明は上記問題点に鑑みて為されたものであり、その目的とするところは、点灯時における見栄えを向上させた光源ユニット及び照明器具を提供することにある。
【課題を解決するための手段】
【０００７】
本発明の光源ユニットは、複数のＬＥＤが実装されたＬＥＤ基板と、前記ＬＥＤ基板が取り付けられる取付部材と、拡散性を有し且つ前記ＬＥＤ基板を覆うようにして前記取付部材に取り付けられるカバー部材とを備えた光源ユニットであって、前記カバー部材は、前記取付部材に取り付けられる一対の突壁部と、前記一対の突壁部の各々に対して前記一対の突壁部が並ぶ方向における前記突壁部よりも外側に延出する一対の延出部とを有し、前記カバー部材は、長尺状に形成された器具本体の一面に設けられた収容凹部に前記光源ユニットを収容した状態では、前記器具本体の長手方向及び幅方向と直交する方向において前記一対の延出部の各々が前記収容凹部の開口端縁と隙間が生じないように重なっていることを特徴とする。
【０００８】
この光源ユニットにおいて、前記カバー部材は長尺状に形成されており、前記一対の延出部の各々は、前記カバー部材の長手方向と直交する幅方向における両端部から互いに離れる向きに延出し、前記一対の突壁部の各々は、前記カバー部材の幅方向における前記一対の延出部の各々よりも内側において前記取付部材側に突出するのが好ましい。
【００１０】
また、この光源ユニットにおいて、前記カバー部材は、前記器具本体の幅方向における両端側から中央側に行くほど前記器具本体の長手方向及び幅方向と直交する方向への突出量が大きくなるような拡散面を有しているのも好ましい。
【００１１】
また、この光源ユニットにおいて、前記複数のＬＥＤに点灯電力を供給する電源装置を備えているのも好ましい。
【００１２】
本発明の照明器具は、長尺状に形成された器具本体と、前記器具本体に取り付けられる光源ユニットと、前記光源ユニットに対して点灯電力を供給する電源装置とを備え、前記器具本体の一面には、前記器具本体の長手方向に沿って矩形の収容凹部が設けられており、前記電源装置は、前記光源ユニットを前記器具本体に取り付けた状態において前記収容凹部内に配置され、前記光源ユニットは、複数のＬＥＤが実装されたＬＥＤ基板と、前記複数のＬＥＤが前記収容凹部の外側を向くようにして前記ＬＥＤ基板を前記器具本体に取り付けるための取付部材と、拡散性を有し且つ前記複数のＬＥＤを覆うようにして前記取付部材に取り付けられるカバー部材とを有し、前記カバー部材は、前記光源ユニットを前記器具本体に取り付けた状態で、前記器具本体の長手方向及び幅方向と直交する方向において前記収容凹部の開口端縁と隙間が生じないように重なる延出部が設けられていることを特徴とする。                                                                     
【００１３】
この照明器具において、前記カバー部材は、前記器具本体の幅方向における両端側から中央側に行くほど前記器具本体の長手方向及び幅方向と直交する方向への突出量が大きくなるように形成されているのが好ましい。
【００１４】
また、この照明器具において、前記器具本体は、前記光源ユニットを前記器具本体に取り付けた状態で、前記カバー部材の傾斜面に連続する傾斜面が設けられているのも好ましい。
【発明の効果】
【００１５】
長尺状に形成された器具本体の一面に設けられた収容凹部に光源ユニットを収容した場合には、器具本体の長手方向及び幅方向と直交する方向においてカバー部材の延出部が器具本体の収容凹部の開口端縁に重なるようになっている。これにより、カバー部材と収容凹部との間に隙間が生じないので、光源ユニットを点灯させた際にスジ状に暗くなることがなく、点灯時における見栄えを向上させた光源ユニットを提供することができるという効果がある。
【図面の簡単な説明】
【００１６】
【図１】（ａ）は本実施形態の光源ユニットの断面図、（ｂ）は同上を用いた照明器具の断面図である。
【図２】同上を用いた照明器具の分解斜視図である。
【図３】同上を用いた照明器具の全体斜視図である。
【図４】照明器具から同上を取り外した状態の斜視図である。
【図５】（ａ）は同上の断面図、（ｂ）は同上を用いた別の照明器具の断面図である。
【発明を実施するための形態】
【００１７】
以下に、照明器具Ａの実施形態について図１〜図５を参照して説明する。なお、以下の説明では特に断りがない限り、図１（ｂ）に示す向きにおいて上下左右の方向を規定し、さらに図１（ｂ）中の紙面に垂直な方向を前後方向と規定して説明を行う。
【００１８】
本実施形態の照明器具Ａは、図１〜図４に示すように、天井直付け型の照明器具であり、吊ボルト２００（図１（ｂ）参照）を用いて天井材１００に取り付けられる器具本体１と、器具本体１に対して着脱自在に取り付けられる光源ユニット２とを備える。
【００１９】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。
【００２０】
また、収容凹部１１の底面部１１１には、電線を通すための孔１１１ａが前後方向（長手方向）に沿って複数（図２では５個）設けられており、さらに吊ボルト２００を通すための孔１１１ｂが前後方向における両端寄りの位置にそれぞれ２個ずつ設けられている。さらに、器具本体１の前後方向における両端部には、図２〜図４に示すように、エンドキャップ３がそれぞれ取り付けられている。
【００２１】
光源ユニット２は、図１（ａ）及び図２に示すように、複数（図２では２個）のＬＥＤ基板２２と、ＬＥＤ基板２２が取り付けられる取付部材２１と、ＬＥＤ基板２２を覆うようにして取付部材２１に取り付けられるカバー部材２３とを有する。また、光源ユニット２は、ＬＥＤ基板２２に所定の点灯電力を供給する電源装置２４と、端子台ブロック２５とを有する。
【００２２】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図２中の右側）のＬＥＤ基板２２の一端部（右端部）には、電源装置２４との間を電気的に接続するためのコネクタ２２３が実装されている。このコネクタ２２３には電線（図示せず）が接続されており、電線の端部を電源装置２４に接続することでＬＥＤ基板２２と電源装置２４とが電気的に接続される。
【００２３】
また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図２中の右側）のＬＥＤ基板２２から他方（図２中の左側）のＬＥＤ基板２２に電源を供給することができる。
【００２４】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図１（ａ）に示すように、互いに離れる方向に傾斜する傾斜部２１２ａがそれぞれ全長に亘って設けられている。
【００２５】
底面部２１１の前後方向（長手方向）における一端部（図２中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。
【００２６】
なお、上述したＬＥＤ基板２２は、例えば取付部材２１の底面部２１１の一部を切り起こすことで形成された係止爪（図示せず）により取付部材２１に固定される。
【００２７】
カバー部材２３は、拡散性を有する材料（例えば乳白色のアクリル樹脂）により上面（取付部材２１側の面）が開口する長尺状に形成されている。このカバー部材２３は、左右方向（幅方向）において両端側から中央側に行くほど下側への突出量が大きくなるような凸レンズ形状の拡散面２３１を有している（図１（ａ）参照）。このように、拡散面２３１の形状を上記形状とすることで、下側への突出量を等しくした場合に比べて各方向への配光量を略等しくすることができる。
【００２８】
また、カバー部材２３の左右方向における両端部には、図１（ｂ）に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００２９】
電源装置２４は、電源基板２４１と、電源基板２４１を収納するための収納ケース２４２とを有する。電源基板２４１は、前後方向に長い矩形板状に形成されたプリント基板２４１ａからなり、プリント基板２４１ａには、少なくともＬＥＤ２２２の点灯電力を生成するための回路部品（例えばトランスやダイオード、コンデンサなど）２４１ｂが実装されている。
【００３０】
収納ケース２４２は、図１（ａ）に示すように、一面（取付部材２１の底面部２１１との対向面）が開口し且つ前後方向に長い矩形箱状の収納部２４２ａを有する。また、収納ケース２４２は、第１延出部２４２ｂ、第２延出部２４２ｃ及び収納部２４２ａの側面部２４２ｄで囲まれる空間からなる溝部２４２ｅを有する。
【００３１】
第１延出部２４２ｂは、収納部２４２ａの開口端縁から側方（図１（ａ）中の左側）に延出し、第２延出部２４２ｃは、第１延出部２４２ｂの先端から上側（器具本体１側）に延出する。また、収納部２４２ａの側面部２４２ｄは、第２延出部２４２ｃと対向する。
【００３２】
溝部２４２ｅは、端子台ブロック２５から電源装置２４への電線や、電源装置２４からＬＥＤ基板２２への電線、隣接する照明器具Ａへ電力を送る電線などを通すための配線スペースとして利用される。そして、電源装置２４は、取付部材２１の底面部２１１と両側面部２１２，２１２とで囲まれる空間からなる収容部２１３に少なくとも一部が収容された状態で、例えばねじなどを用いて取付部材２１に取り付けられる。
【００３３】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００３４】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、上記係止爪によりＬＥＤ基板２２を取付部材２１の底面部２１１に固定し、ＬＥＤ基板２２のコネクタ２２３から導出する電線を取付部材２１の底面部２１１に設けた孔２１１ａに通した後、その端部を電源装置２４に接続する。
【００３５】
そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａに引っ掛かり、カバー部材２３が取付部材２１に取り付けられる。以上のような手順に従って、光源ユニット２が組み立てられる。なお、カバー部材２３を取付部材２１に取り付ける上記方法は一例であり、他の方法であってもよい。
【００３６】
続けて、照明器具Ａの施工手順について説明する。まず最初に、作業者は、室内側に露出する上記電源線を器具本体１に設けた孔１１１ａに通し、天井材１００を通して室内側に露出する吊ボルト２００を孔１１１ｂに通した後、吊ボルト２００にナット３００をねじ込んで器具本体１を天井材１００に固定する。
【００３７】
その後、作業者は、上記電源線を端子台２５１に接続し、例えば器具本体１及び取付部材２１にそれぞれ設けた嵌合構造（図示せず）によって光源ユニット２を器具本体１に取り付ける。このとき、少なくとも電源装置２４及び端子台ブロック２５が収容凹部１１に収容される。以上のような手順に従って、照明器具Ａが天井に施工される。
【００３８】
ここで、図１（ｂ）は照明器具Ａを天井材１００に取り付けた状態の断面図であり、上下方向（器具本体１の長手方向及び幅方向と直交する方向）において、カバー部材２３の延出部２３２が器具本体１の収容凹部１１の開口端縁と重なっている。これにより、カバー部材２３と収容凹部１１との間に隙間が生じないので、光源ユニット２を点灯させた際にスジ状に暗くなることがなく、点灯時における見栄えを向上させた照明器具Ａを提供することができる。
【００３９】
またこのとき、器具本体１に設けた両傾斜面１２，１２と、カバー部材２３の拡散面２３１とが連続しており、これにより器具本体１と光源ユニット２の一体性が高められ、意匠的に優れた照明器具Ａを提供することができる。ここに本実施形態では、拡散面２３１によりカバー部材の傾斜面が構成されている。
【００４０】
図５（ｂ）は本実施形態の照明器具Ａの別の例を示す断面図である。上述の実施例では、天井材１００に取り付けられる天井直付け型の照明器具について説明したが、本例のように、天井材１００に設けた埋込孔１００ａを通して天井裏に設置される天井埋込型の照明器具であってもよい。
【００４１】
本例の照明器具Ａは、吊ボルト（図示せず）を用いて天井裏に設置される支持部材４と、支持部材４に取り付けられる反射板５と、反射板５に対して着脱自在に取り付けられる光源ユニット２とを備える。なお、光源ユニット２については上述の実施例と同様であり、ここでは説明を省略する。
【００４２】
反射板５は、板金に曲げ加工を施すことで長尺且つ下面が開口する扁平な箱状に形成され、反射板５の底面部には、光源ユニット２を収容するための矩形の収容凹部５１が反射板５の全長に亘って設けられている。また、反射板５の開口端縁には、側方に延出する鍔部５２が全周に亘って設けられており、天井裏に設置された支持部材４に反射板５を取り付けた状態では、鍔部５２が天井材１００の下面に接している（図５（ｂ）参照）。ここに本例では、反射板５により器具本体が構成されている。
【００４３】
次に、照明器具Ａの施工手順について説明する。まず最初に、作業者は、天井材１００に設けた埋込孔１００ａを通して支持部材４を天井裏に配置し、天井裏に設けた吊ボルト（図示せず）に支持部材４を取り付ける。その後、作業者は、天井裏に配線された電源線（図示せず）を反射板５の収容凹部５１に設けた孔（図示せず）を通して室内側（下側）に引き出し、例えばねじなどを用いて反射板５を支持部材４に取り付ける。
【００４４】
最後に、作業者は、上記電源線を端子台ブロック（図示せず）に接続し、例えば反射板５及び取付部材２１にそれぞれ設けた嵌合構造（図示せず）によって光源ユニット２を反射板５に取り付ける。このとき、少なくとも電源装置２４及び端子台ブロックが収容凹部５１に収容される。以上のような手順に従って、照明器具Ａが天井裏に設置される。
【００４５】
ここで、カバー部材２３の左右方向（幅方向）における両端部には延出部２３２がそれぞれ設けられており、光源ユニット２を反射板５に取り付けた状態では、上下方向において各延出部２３２が収容凹部５１の開口端縁とそれぞれ重なっている。これにより、カバー部材２３と収容凹部５１との間に隙間が生じないので、光源ユニット２を点灯させた際にスジ状に暗くなることがなく、点灯時における見栄えを向上させた照明器具Ａを提供することができる。
【００４６】
本実施形態の光源ユニット２は、複数のＬＥＤ２２２が実装されたＬＥＤ基板２２と、ＬＥＤ基板２２が取り付けられる取付部材２１と、拡散性を有しＬＥＤ基板２２を覆うようにして取付部材２１に取り付けられるカバー部材２３とを備える。カバー部材２３は、取付部材２１に取り付けられる一対の突壁部２３３，２３３と、一対の突壁部２３３，２３３の各々に対して一対の突壁部２３３，２３３が並ぶ方向における突壁部２３３よりも外側に延出する一対の延出部２３２，２３２とを有している。
【００４７】
また、本実施形態の光源ユニット２のように、カバー部材２３が長尺状に形成されているのが好ましい。この場合、一対の延出部２３２，２３２の各々は、カバー部材２３の長手方向と直交する幅方向における両端部から互いに離れる向きに延出し、一対の突壁部２３３，２３３の各々は、カバー部材２３の幅方向における一対の延出部２３２，２３２の各々よりも内側において取付部材２１側に突出する。
【００４８】
また、本実施形態の光源ユニット２のように、カバー部材２３は、長尺状に形成された器具本体１の一面に設けられた収容凹部１１に光源ユニット２を収容した状態では、器具本体１の長手方向及び幅方向と直交する方向において一対の延出部２３２，２３２の各々が収容凹部１１の開口端縁と重なっているのが好ましい。
【００４９】
また、本実施形態の光源ユニット２のように、カバー部材２３は、器具本体１の幅方向における両端側から中央側に行くほど器具本体１の長手方向及び幅方向と直交する方向への突出量が大きくなるような拡散面２３１を有しているのが好ましい。
【００５０】
また、本実施形態の光源ユニット２のように、複数のＬＥＤ２２２に点灯電力を供給する電源装置２４を備えているのが好ましい。
【００５１】
本実施形態の照明器具Ａは、長尺状に形成された器具本体１と、器具本体１に取り付けられる光源ユニット２と、光源ユニット２に対して点灯電力を供給する電源装置２４とを備える。器具本体１の一面には、器具本体１の長手方向に沿って矩形の収容凹部１１が設けられている。電源装置２４は、光源ユニット２を器具本体１に取り付けた状態において収容凹部１１内に配置される。光源ユニット２は、ＬＥＤ基板２２と、取付部材２１と、カバー部材２３とを有する。ＬＥＤ基板２２は、複数のＬＥＤ２２２が実装される。取付部材２１は、複数のＬＥＤ２２２が収容凹部１１の外側を向くようにしてＬＥＤ基板２２を器具本体１に取り付ける。カバー部材２３は、拡散性を有し、複数のＬＥＤ２２２を覆うようにして取付部材２１に取り付けられる。また、カバー部材２３は、光源ユニット２を器具本体１に取り付けた状態で、器具本体１の長手方向及び幅方向と直交する方向において収容凹部１１の開口端縁と重なる延出部２３２が設けられている。
【００５２】
また、本実施形態の照明器具Ａのように、カバー部材２３は、器具本体１の幅方向における両端側から中央側に行くほど器具本体１の長手方向及び幅方向と直交する方向への突出量が大きくなるように形成されているのが好ましい。
【００５３】
また、本実施形態の照明器具Ａのように、器具本体１は、光源ユニット２を器具本体１に取り付けた状態で、カバー部材２３の拡散面２３１（傾斜面）に連続する傾斜面１２が設けられているのが好ましい。
【符号の説明】
【００５４】
２  光源ユニット
２１  取付部材
２２  ＬＥＤ基板
２３  カバー部材
２２２  ＬＥＤ
２３２  延出部
２３３  突壁部
【図１】
0005492344.tif 000002
【図２】
0005492344.tif 000003
【図３】
0005492344.tif 000004
【図４】
0005492344.tif 000005
【図５】
0005492344.tif 000006